(57)【特許請求の範囲】
【請求項１】
手指で操作される押釦操作部と、この押釦操作部に向かって光を照射するように設けられた発光部と、前記発光部からの光を受光するように設けられた受光部とを備えてなるエレベータ用押釦であって、
前記押釦は、通常状態では前記受光部が前記発光部の光を感知しており、前記押釦操作部が操作された時に、前記発光部からの光が遮られて前記受光部がＯＦＦし前記押釦が操作された呼登録時の状態となり、呼びが登録されると、前記発光部を応答ランプとして点滅させ、前記押釦の自動点検時には、通常状態の手指で操作される代わりに、電気的に前記発光部を消灯して手指で押されたと同様に前記受光部をＯＦＦし前記受光部以降の信号回路の動作状況を確認する受光点検を行い、更に、前記受光点検の後に、電気的に前記発光部を点灯させて正常に前記発光部が点灯できることを確認する投光試験を行うことを特徴とするエレベータ用押釦の自動診断装置。
【請求項２】
手指で操作される押釦操作部と、この押釦操作部に向かって光を照射するように設けられた発光部と、前記発光部からの光を受光するように設けられた受光部とを備えてなるエレベータ用押釦であって、
前記押釦は、通常状態では前記受光部が前記発光部の光を感知しており、前記押釦操作部が操作された時に、前記発光部からの光が遮られて前記受光部がＯＦＦし前記押釦が操作された呼登録時の状態となり、呼びが登録されると、前記発光部を応答ランプとして点滅させ、前記押釦の自動点検時には、通常状態の手指で操作される代わりに、電気的に前記発光部を消灯して手指で押されたと同様に前記受光部をＯＦＦし前記受光部以降の信号回路の動作状況を確認する受光点検を行い、更に、前記受光点検の後に、電気的に前記発光部を点灯させて正常に前記発光部が点灯できることを確認する投光試験を行い、前記押釦の自動点検による不具合データを記録し、不具合記録のデータをエレベータ保守会社に通報することを特徴とするエレベータ用押釦の自動診断装置。
【請求項３】
押釦は、乗場呼び押釦、かご内呼び押釦、戸開押釦及び戸閉押釦の内の少なくとも一つであることを特徴とする請求項１又は請求項２記載のエレベータ用押釦の自動診断装置。
【請求項４】
押釦は乗場呼び押釦であり、最下階の押釦から最上階の押釦まで又は最上階の押釦から最下階の押釦まで順次点検を行うことを特徴とする請求項１又は請求項２記載のエレベータ用押釦の自動診断装置。
【請求項５】
押釦故障の異常通報を可能にするために、請求項２〜請求項４のいずれかに記載のエレベータ用押釦の自動診断装置を備え、押釦故障検出が検出された時、通信装置を通して接続されている電話回線によりエレベータ保守会社の受信システムに通報し、前記受信システムにより最寄の保守技術者に故障修理のための出動を要請することを特徴とするエレベータ用押釦の異常通報システム。
【発明の詳細な説明】
【技術分野】
【０００１】
この発明は、エレベータ用押釦の動作点検を自動診断可能にしたエレベータ用押釦の自動診断装置及びそれを用いたエレベータ用押釦の異常通報システムに関するものである。
【背景技術】
【０００２】
一般にエレベータを活用する場合に、乗客は呼び押釦の操作が必須であり、呼び押釦が故障すると、エレベータ全体の運行に支障を来たす。押釦の故障には、押釦の破損、押釦の押し込まれ、押釦のセリによる動作故障、応答ランプ不点灯（球切れ）、インターフェース故障等、様々な故障が発生する。
そのため、押釦の保守点検では、乗場呼び押釦、かご内の呼び押釦、戸開押釦、戸閉押釦の点検は、現場作業時には必ず実施する作業である。この点検のためには、全階床の乗場へ保守技術者が出向いて押釦の動作確認、応答ランプの点灯確認を実施する必要があった。
また、現状のエレベータの押釦は、夜間にビルのフロアーの照明が消されている場合には、何処に呼びの押釦があるのかが判らず、不便を感じることがあった。
従来一般のエレベータの乗場操作盤は、図１４に示す構造である。すなわち、乗場操作盤１には、乗場の方向灯１２、乗場インジケータ１３、ＵＰ方向の押釦１４、ＤＯＷＮ方向の押釦１５が設けられている。押釦の構造は、図１５に示すように、乗場操作盤１の背面側に設けられたハウジング部２５の中に押釦１４の釦体１４ａが設置されており、この釦体１４ａがバネ３２の付勢力に抗して後ろ方向に押されることにより、電気接点２１〜２４が閉じ、乗場呼び信号がエレベータ制御回路に送られる。エレベータ制御回路が乗場呼び発生を感知した場合には、呼び応答ランプ３３が点灯される。
このような構造の押釦を点検する場合には、実際に押釦１４をの釦体１４ａ押して、押釦の動作状況、応答ランプの点灯状態（球切れの有無）を全階床点検する必要があった。また、かご内の各階の呼び押釦、戸開押釦、戸閉押釦も同様に動作点検が必要であった。押釦の故障によっては、粉塵が付着して押釦が汚れた状態で押釦が押されっ放しの状況になる場合も発生し、エレベータがその階で戸開したまま動けなくなるケースも発生している。
【０００３】
また、従来技術としては、コンピュータ化されたエレベータ制御装置において、エレベータの点検プログラム格納メモリを中央演算装置に接続し、エレベータの点検時にエレベータのかご又は乗場に設置されたスイッチ手段を操作して点検プログラム格納メモリ内に格納されている点検プログラムに従って点検を実行し、この点検結果を応答ランプ或いはかご位置インジケータなどに表示するものが開示されている（例えば、特許文献１参照）。
【０００４】
【特許文献１】特開昭５６−１４５０８１号公報
【発明の開示】
【発明が解決しようとする課題】
【０００５】
従来の特許文献１記載のものでは、通常のエレベータ制御プログラムから点検プログラムに切り換わると、押釦スイッチ群、ランプ群のチェックを行う。これは押釦スイッチ群を決められたシーケンス例えば、１階の押釦スイッチより順に押すことにより、押された階に対応するかご位置表示器及び応答ランプに一定時間点灯し、消灯する。この動作を順次繰り返すことにより、押釦スイッチ群、そのインターフェース、ランプ群、そのインターフェースがチェックできるものであるが、実際の点検時には、保守技術者が全階床のインジケータや応答ランプの点灯を常に目視で確認しなければならず、単なる作業支援にしかならなかった。
【０００６】
この発明は、上述のような課題を解決するためになされたもので、押釦の動作状況の点検が自動的に実施可能となるエレベータ用押釦の自動診断装置を提供するものである。  また、押釦の故障を検出すると、自動的にエレベータ保守会社に通報し、保守技術者を早期に故障対応に巡回させるようにするエレベータ用押釦の異常通報システムを提供するものである。
【課題を解決するための手段】
【０００７】
この発明に係るエレベータ用押釦の自動診断装置においては、手指で操作される押釦操作部と、この押釦操作部に向かって光を照射するように設けられた発光部と、発光部からの光を受光するように設けられた受光部とを備えてなるエレベータ用押釦であって、押釦は、通常状態では受光部が発光部の光を感知しており、押釦操作部が操作された時に、発光部からの光が遮られて受光部がＯＦＦし押釦が操作された呼登録時の状態となり、呼びが登録されると、発光部を応答ランプとして点滅させ、押釦の自動点検時には、通常状態の手指で操作される代わりに、電気的に発光部を消灯して手指で押されたと同様に受光部をＯＦＦし受光部以降の信号回路の動作状況を確認する受光点検を行い、更に、受光点検の後に、電気的に発光部を点灯させて正常に発光部が点灯できることを確認する投光試験を行うものである。
【０００８】
また、この発明に係るエレベータ用押釦の異常通報システムにおいては、押釦故障の異常通報を可能にするために、上記のようなエレベータ用押釦の自動診断装置を備え、押釦故障検出が検出された時、通信装置を通して接続されている電話回線によりエレベータ保守会社の受信システムに通報し、受信システムにより最寄の保守技術者に故障修理のための出動を要請するものである。
【発明の効果】
【０００９】
この発明によれば、押釦の動作状況が自動的に実施可能となり、しかも故障を検出すると自動的にエレベータ保守会社に通報することが可能となる。したがって、押釦回路の故障のために、エレベータが停止したままになり、故障対応のために保守会社を呼び出す必要がなくなる。また、自動点検が可能となるため、押釦の点検のための作業時間の低減を図ることができる。更に、押釦の構造に機械的な可動部が無いため、機械的な故障が半減でき、塵埃の堆積、ゴミ詰まり、イタズラによる破損等も半減できる。また、乗場押釦の通常状態の状況が、ＬＥＤランプが点灯している状況になるため、押釦の位置が分かり易く、省エネのために部屋や通路の照明が暗い場合にも、エレベータの押釦の位置が利用者に分かりやすい。また、弱視の利用者にも押釦の位置が分かりやすく、人に優しい操作装置を提供できる。
【発明を実施するための最良の形態】
【００１０】
実施の形態１．
図１はこの発明の実施の形態１におけるエレベータ用押釦の構造を示す正面図と断面図、図２はこの発明の実施の形態１におけるエレベータ用押釦の配置状況を示す正面図、図３はこの発明の実施の形態１におけるエレベータ用押釦の簡易回路図、図４は押釦回路の通常時の信号状態を示す説明図、図５は押釦回路の点検時の信号状態を示す説明図、図６はこの発明の実施の形態１におけるエレベータ用押釦の自動診断装置の点検動作を説明するためのフローチャート、図７はこの発明の実施の形態１におけるエレベータ用押釦の自動診断装置を用いた異常通報システムを示すシステム構成図である。
【００１１】
図１、図２において、１は乗場操作盤、４１はＤＯＷＮ方向の押釦、４２はＵＰ方向の押釦である。この押釦４１、４２の正面片側の一側面は凹面状となっており、その凹面部には釦ラベル４３が貼られ、釦ラベル４３の背面側下部には光を感知するフォトダイオードからなる受光部５５が装備されている。また、上記押釦４１、４２の正面片側の他側面は凸面状となっており、その内部には通常時に上記釦ラベル４３を照らすように配置された発光ダイオード（以下ＬＥＤという）からなる発光部５２が装備されている。通常状態では、フォトダイオード５５がＬＥＤ５２の光を感知しており、乗場呼びを作るために、利用者の手指が釦ラベル４３を押すと、ＬＥＤ５２からの光を遮り、フォトダイオード５５をＯＦＦさせる。このように、手指によりＬＥＤ５２からの光を遮るか否かにより、乗場呼びを発生させる。
図３は押釦の簡易回路図を示し、５０は入力端子ＩＮ１  、５１はトランジスタＴＲ１  、５２はＬＥＤ１、５３、５４、５６は抵抗、５５はフォトダイオードＦＤ、５７はトランジスタＴＲ２、５８はＶ＋端子、５９は出力端子ＯＵＴ、６０は０Ｖ端子である。また、図４は通常時の呼び発生の信号状態を示し、図５は点検時の信号状態を示している。
【００１２】
通常時、入力端子ＩＮ１５０に信号が印加されており、トランジスタＴＲ１５１はＯＮして、ＬＥＤ１５２もＯＮで、釦ラベル４３の下部にあるフォトダイオードＦＤ５５を照らし、フォトダイオードＦＤ５５をＯＮさせる。これにより、トランジスタＴＲ２５７もＯＮしているので、出力端子ＯＵＴ５９は０Ｖとなっている。ここで、押釦を押して乗場呼びを作ろうとして、釦ラベル４３を手指で押すと、ＬＥＤ１５２からの光が遮られ、フォトダイオードＦＤ５５がＯＦＦし、トランジスタＴＲ２５７がＯＦＦして、出力端子ＯＵＴ５９はＶ＋となる（呼登録時）。そして、押釦の乗場呼びが登録されると、エレベータ制御回路が認識したことを利用者に知らせるために、ＬＥＤ１５２を点滅させる（応答時）。
【００１３】
次に、押釦の自動点検回路の説明をする。通常の状態から、押釦が手指で押される（覆う）代わりに、入力端子ＩＮ１５０の信号をＯＦＦすると、トランジスタＴＲ１５１はＯＦＦして、ＬＥＤ１５２が消灯する。これにより、ＬＥＤ１５２の光が届かないことになり、手指で押されたと同様に、フォトダイオードＦＤ５５以降の信号回路を確認することができる。すなわち、フォトダイオードＦＤ５５はＯＦＦ、トランジスタＴＲ２５７はＯＦＦ、出力端子ＯＵＴ５９はＶ＋となり、乗場呼び登録を確認することができる（受光点検）。
次に、応答ランプが点灯可能か否かの点検試験を行うために、上記の動作の後に、入力端子ＩＮ１５０をＯＮして、トランジスタＴＲ１５１をＯＮし、ＬＥＤ１５２を点灯させる。そして、フォトダイオードＦＤ５５はＯＮ、トランジスタＴＲ２５７はＯＮとなり、正常にＬＥＤ１５２が点灯できることが確認できる（ＬＥＤの投光試験）。
【００１４】
上記の説明では、単体の押釦の点検試験モードについての説明であるが、自動点検システムとしての機能について、図６の点検試験システムプログラムにより説明する。
乗場の押釦を最下階（１階）から、最上階のＤＯＷＮ方向の押釦までの自動試験のプログラムを説明する。先ず、ステップＳ１で予め決められた押釦点検のスケジュール時間か否かを判断する。通常は深夜に試験運転を実施する。ステップＳ１で深夜の設定時間であれば、ステップＳ２で押釦点検を当日実施済みか否かを判断し、未実施であれば試験モード時にエレベータが運行状態か否かを判断し、エレベータが運行中であれば、一時的に終了し、エレベータが停止中であるまで待ち、試験できるまで試みる（ステップＳ３）。試験が可能であると、次のステップＳ４に進み、まずは最下階（１階）のＵＰ方向の押釦の点検から開始し、順次上部の階の押釦の点検を繰り返す。ステップＳ５で最初に入力端子ＩＮ１５０をＯＦＦして、乗場呼びが登録できたか否かを判断する（ステップＳ６）。ステップＳ６で乗場呼びが登録できない不具合の場合には、メモリ等に記録する（ステップＳ７）。当該押釦の乗場呼び登録ができた場合は、ステップＳ８に進み、入力端子ＩＮ１５０をＯＮして、ＬＥＤ１５２の点灯試験、すなわち応答ランプの確認を実施する。次にステップＳ９で当該押釦の呼び登録信号が解除されると試験はＯＫであり、当該押釦試験を完了する（ステップＳ１０）。また押釦の呼び登録信号が解除されないと、不具合の記録をメモリ等に記録する（ステップＳ７）。上記動作を繰り返し行い、最上階の押釦まで全ての押釦の試験を終了し（ステップＳ１１）、ステップＳ１２で不具合記録のデータがあれば、その不具合記録をエレベータ保守会社に通報する（ステップＳ１３）。
【００１５】
上記説明では、乗場押釦の自動点検方法を説明したが、かご内の呼び押釦、戸開押釦、戸閉押釦も同様なプログラムにて実施可能である。また、自動試験を深夜の時間帯にスケジュール運転にて実施する例を説明したが、保守点検時に自動試験を実施し、その結果を確認することも当然可能である。
【００１６】
また、図７はこの発明の実施の形態１におけるエレベータ用押釦の自動診断装置を用いた異常通報システムを示すシステム構成図である。図において、２はエレベータ装置であり、押釦回路３、押釦故障検出回路４、エレベータ制御回路５及び通信装置６等を備えている。７は電話回線８によりエレベータ装置２と接続されているエレベータ保守会社の受信システムであり、通信装置９、受信端末１０等を備えている。１１は保守技術者である。
押釦回路３は、押釦故障検出回路４を介してエレベータ制御回路５に接続されており、押釦の試験を実施する。押釦の不具合が発生、検出された場合には、通信装置６を通して、接続されている電話回線８によりエレベータ保守会社の受信システム７に通報される。この受信システム７では、通信装置９経由で、受信端末１０により、不具合情報が通知され、最寄の保守技術者１２に連絡をとって即座に故障修理のための出動を要請する。  
【００１７】
実施の形態１によれば、押釦の動作状況が自動的に実施可能となり、しかも故障を検出すると自動的にエレベータ保守会社に通報することが可能となる。したがって、押釦回路の故障のために、エレベータが停止したままになり、故障対応のために保守会社を呼び出す必要がなくなる。また、自動点検が可能となるため、押釦の点検のための作業時間の低減を図ることができる。更に、押釦の構造に機械的な可動部が無いため、機械的な故障が半減でき、塵埃の堆積、ゴミ詰まり、イタズラによる破損等も半減できる。また、乗場押釦の通常状態の状況が、ＬＥＤランプが点灯している状況になるため、押釦の位置が分かり易く、省エネのために部屋や通路の照明が暗い場合にも、エレベータの押釦の位置が利用者に分かりやすい。また、弱視の利用者にも押釦の位置が分かりやすく、人に優しい操作装置を提供できる。
【００１８】
実施の形態２．
図８はこの発明の実施の形態２におけるエレベータ用押釦の構造を示す正面図と断面図、図９はこの発明の実施の形態２におけるエレベータ用押釦の簡易回路図、図１０は押釦回路の通常時の信号状態を示す説明図、図１１は押釦回路の点検時の信号状態を示す説明図、図１２はこの発明の実施の形態２におけるエレベータ用押釦の自動診断装置の点検動作を説明するためのフローチャートである。なお、図中、実施の形態１と同一又は相当部分には同一符号を付して、説明を省略する。
【００１９】
この実施の形態２においては、押釦の応答ランプを、ＬＥＤの色を変えて分かり易くした例である。
図８において、押釦４２の正面片側の他側面は凸面状となっており、その内部には例えばオレンジ色に発光するＬＥＤ１５２と、グリーン色に発光するＬＥＤ２６３が装備されている。
図９は押釦の簡易回路図を示し、６１は入力端子ＩＮ２  、６２はトランジスタＴＲ３  、６３はグリーン色に発光するＬＥＤ２、６４は抵抗である。また、図１０は通常時の呼び発生の信号状態を示し、図１１は点検時の信号状態を示している。
【００２０】
通常時、入力端子ＩＮ１５０に信号が印加されており、トランジスタＴＲ１５１はＯＮして、ＬＥＤ１５２もＯＮで、釦ラベル４３の下部にあるフォトダイオードＦＤ５５を照らし、フォトダイオードＦＤ５５をＯＮさせる。これにより、トランジスタＴＲ２５７もＯＮしているので、出力端子ＯＵＴ５９は０Ｖとなっている。この時、入力端子ＩＮ2６１には信号が印加されていないので、トランジスタＴＲ3６２はＯＦＦして、ＬＥＤ2６３もＯＦＦしている。ここで、押釦を押して乗場呼びを作ろうとして、釦ラベル４３を手指で押すと、ＬＥＤ１５２からの光が遮られ、フォトダイオードＦＤ５５がＯＦＦし、トランジスタＴＲ２５７がＯＦＦして、出力端子ＯＵＴ５９はＶ＋となる（押釦ＯＮ）。そして、押釦の乗場呼びが登録されると、エレベータ制御回路が認識したことを利用者に知らせるために、入力端子ＩＮ１５０をＯＦＦし、入力端子ＩＮ２６１をＯＮして、オレンジ色のＬＥＤ１５２が消灯し、グリーン色のＬＥＤ２６３を点灯させる（応答ランプ点灯）。このように、ＬＥＤの光が変化することにより、押釦の登録状況が判り易くなる。
次に、押釦の自動点検回路の説明をする。通常時の状態から、押釦が手指で押される（覆う）代わりに、入力端子ＩＮ１５０の信号をＯＦＦすると、トランジスタＴＲ１５１はＯＦＦして、ＬＥＤ１５２が消灯する。これにより、ＬＥＤ１５２の光が届かないことになり、手指で押されたと同様に、フォトダイオードＦＤ５５以降の信号回路を確認することができる。すなわち、フォトダイオードＦＤ５５はＯＦＦ、トランジスタＴＲ２５７はＯＦＦ、出力端子ＯＵＴ５９はＶ＋となり、乗場呼び登録を確認することができる（受光点検）。
次に、応答ランプが点灯可能か否かの点検試験を行うために、上記の動作の後に、入力端子ＩＮ１５０をＯＮして、トランジスタＴＲ１５１をＯＮし、ＬＥＤ１５２を点灯させる。そして、フォトダイオードＦＤ５５はＯＮ、トランジスタＴＲ２５７はＯＮとなり、正常にＬＥＤ１５２が点灯できることが確認できる（ＬＥＤ１の投光試験）。
更に、応答ランプが点灯可能か否かの点検試験を行うために、入力端子ＩＮ１５０をＯＦＦした後、入力端子ＩＮ2５１をＯＮして、トランジスタＴＲ１５１をＯＮし、ＬＥＤ2６３を点灯させる。そして、フォトダイオードＦＤ５５はＯＮ、トランジスタＴＲ２５７はＯＮとなり、正常にＬＥＤ2６３が点灯できることが確認できる（ＬＥＤ2点灯試験）。
【００２１】
自動点検システムとしての機能について、図１２の点検試験システムプログラムにより説明する。
乗場の押釦を最下階（１階）から、最上階のＤＯＷＮ方向の押釦までの自動試験のプログラムを説明する。先ず、ステップＳ２１で予め決められた押釦点検のスケジュール時間か否かを判断する。通常は深夜に試験運転を実施する。ステップＳ２１で深夜の設定時間であれば、ステップＳ２２で押釦点検を当日実施済みか否かを判断し、未実施であれば試験モード時にエレベータが運行状態か否かを判断し、エレベータが運行中であれば、一時的に終了し、エレベータが停止中であるまで待ち、試験できるまで試みる（ステップＳ２３）。試験が可能であると、次のステップＳ２４に進み、まずは最下階（１階）のＵＰ方向の押釦の点検から開始し、順次上部の階の押釦の点検を繰り返す。ステップＳ２５で最初に入力端子ＩＮ１５０をＯＦＦして、乗場呼びが登録できたか否かを判断する（ステップＳ２６）。ステップＳ２６で乗場呼びが登録できない不具合の場合には、メモリ等に記録する（ステップＳ２７）。当該押釦の乗場呼び登録ができた場合は、ステップＳ２８に進み、入力端子ＩＮ１５０をＯＮして、ＬＥＤ１５２の点灯試験、すなわち応答ランプの確認を実施する。次にステップＳ２９で当該押釦の呼び登録信号が解除されたか確認し、解除されていないと、不具合の記録をメモリ等に記録する（ステップＳ２７）。ステップＳ２９で当該押釦の呼び登録信号が解除されると、ステップＳ３０に進み、入力端子ＩＮ２６１をＯＮ、入力端子ＩＮ１５０をＯＦＦして、ＬＥＤ２６３の点灯試験、すなわち応答ランプの確認を実施する。次にステップＳ３１で当該押釦の呼び登録信号が解除されたか確認し、解除されていないと、不具合の記録をメモリ等に記録する（ステップＳ２７）。ステップＳ３１で当該押釦の呼び登録信号が解除されると試験はＯＫであり、当該押釦試験を完了する（ステップＳ３２）。上記動作を繰り返し行い、最上階の押釦まで全ての押釦の試験を終了し（ステップＳ３３）、ステップＳ３４で不具合記録のデータがあれば、その不具合記録をエレベータ保守会社に通報する（ステップＳ３５）。
【００２２】
上記説明では、乗場押釦の自動点検方法を説明したが、かご内の呼び押釦、戸開押釦、戸閉押釦も同様なプログラムにて実施可能である。また、自動試験を深夜の時間帯にスケジュール運転にて実施する例を説明したが、保守点検時に自動試験を実施し、その結果を確認することも当然可能である。
【００２３】
実施の形態３．
図１３はこの発明の実施の形態３におけるエレベータ用押釦の各種構造を示す正面図と斜視図である。
【００２４】
図１３において、１１０は乗場ＵＰ方向の呼び押釦、１１１は乗場ＤＯＷＮ方向の呼び釦、１１２は乗場ＵＰ方向の呼び釦の斜視図、１１３はかご内戸開押釦、１１４はかご内呼び押釦、１１５はかご内呼び押釦の斜視図を示す。
【図面の簡単な説明】
【００２５】
【図１】この発明の実施の形態１におけるエレベータ用押釦の構造を示す正面図と断面図である。
【図２】この発明の実施の形態１におけるエレベータ用押釦の配置状況を示す正面図である。
【図３】この発明の実施の形態１におけるエレベータ用押釦の簡易回路図である。
【図４】押釦回路の通常時の信号状態を示す説明図である。
【図５】押釦回路の点検時の信号状態を示す説明図である。
【図６】この発明の実施の形態１におけるエレベータ用押釦の自動診断装置の点検動作を説明するためのフローチャートである。
【図７】この発明の実施の形態１におけるエレベータ用押釦の自動診断装置を用いた異常通報システムを示すシステム構成図である。
【図８】この発明の実施の形態２におけるエレベータ用押釦の構造を示す正面図と断面図である。
【図９】この発明の実施の形態２におけるエレベータ用押釦の簡易回路図である。
【図１０】押釦回路の通常時の信号状態を示す説明図である。
【図１１】押釦回路の点検時の信号状態を示す説明図である。
【図１２】この発明の実施の形態２におけるエレベータ用押釦の自動診断装置の点検動作を説明するためのフローチャートである。
【図１３】この発明の実施の形態３におけるエレベータ用押釦の各種構造を示す正面図と斜視図である。
【図１４】従来のエレベータの乗場操作盤を示す正面図である。
【図１５】従来のエレベータの乗場操作盤の押釦の構造を示す断面図である。
【符号の説明】
【００２６】
１  乗場操作盤
２  エレベータ装置
３  押釦回路
４  押釦故障検出回路
５  エレベータ制御回路
６、９  通信装置
７  エレベータ保守会社の受信システム
８  電話回線
１０  受信端末
１１  保守技術者
４１、４２  押釦
４３  釦ラベル
５０、６１  入力端子
５１、５７、６２  トランジスタ
５２、６３  発光ダイオードからなる発光部（ＬＥＤ）
５５  フォトダイオードからなる受光部（ＦＤ）
５９  出力端子
【図１】
0004765449.tif 000002
【図２】
0004765449.tif 000003
【図３】
0004765449.tif 000004
【図４】
0004765449.tif 000005
【図５】
0004765449.tif 000006
【図６】
0004765449.tif 000007
【図７】
0004765449.tif 000008
【図８】
0004765449.tif 000009
【図９】
0004765449.tif 000010
【図１０】
0004765449.tif 000011
【図１１】
0004765449.tif 000012
【図１２】
0004765449.tif 000013
【図１３】
0004765449.tif 000014
【図１４】
0004765449.tif 000015
【図１５】
0004765449.tif 000016